(57)【要約】【課題】グリル庫に取り付けられるスライドレール手段のメンテナンスを容易化できる加熱調理器及びレールユニットを提供する。【解決手段】グリル庫の底壁１５には、レールユニット４０が設けられている。レールユニット４０は、左側レール構造体４１と右側レール構造体４２を備える。左側レール構造体４１に設けられた平板部５１Ａは、底壁１５の上面に配置される。平板部５１Ａには、係止爪７３，７５と固定穴７１が設けられている。作業者は、係止爪７３，７５を、グリル庫の底壁１５に設けられた被係止穴３２，３３に係止させ、固定穴７１を底壁１５の前側に設けられた固定穴３１に位置決めして螺子で固定する。右側レール構造体４２においても同様の方法で底壁１５に固定する。作業者は、螺子を締結し又は取り外すことで、グリル庫に対してレールユニット４０を容易に着脱自在できる。【選択図】図４
2015027403.tif 000002
【特許請求の範囲】
【請求項１】
前側が開口するグリル庫に受け皿がスライドレール手段によってスライドされて引き出し自在に構成された加熱調理器であって、
前記スライドレール手段は、
固定レールを有し、前記グリル庫内の下部の左右両側に夫々配置される固定レール部と、前記固定レールの長手方向に沿ってスライド可能に設けられ、前記受け皿を保持する為の可動レールを有する可動レール部とを備える左右一対のレール構造体を連結材で連結してなるレールユニットであって、
前記固定レール部は、
前記グリル庫の底壁の奥側の左右両側に夫々設けられた被係止部に対して係止する係止部と、前記グリル庫の前記底壁の前側の左右両側に夫々設けられた被固定部に対して着脱可能に固定する固定部とを備えたことを特徴とする加熱調理器。
【請求項２】
前記固定レール部は、
前記固定レールの長手方向に沿って設けられ、前記底壁上に設置される平板状の平板部を有し、
前記係止部は、前記平板部の前記グリル庫の奥側に配置される一端側に設けられ、
前記固定部は、前記平板部の前記グリル庫の前側に配置される他端側に設けられ、
前記被係止部は、前記グリル庫の前記底壁を上下方向に貫通する被係止穴であって、
前記係止部は、前記平板部の下面から下方に突出し且つ先端側が前記平板部の前記一端側に向かって屈曲する係止爪であって、
前記係止爪は、前記被係止穴に対して上方から挿入され、且つ前記グリル庫の後方に押し込まれることによって前記被係止穴に係止することを特徴とする請求項１に記載の加熱調理器。
【請求項３】
前記底壁の下側の面である下面において、前記被係止穴よりも前記グリル庫の後方に設けられ、前記下面から離間する方向に突出する突出部を備え、
前記係止爪が前記被係止穴に対して上方から挿入され、且つ前記グリル庫の後方に押し込まれながら、前記係止爪の前記先端側が前記突出部を乗り上げ、前記係止爪が前記離間する方向に弾性変形させられることによって、前記平板部を介して前記固定レールが前記底壁側に付勢されることを特徴とする請求項２に記載の加熱調理器。
【請求項４】
前記被係止穴は、前記グリル庫の後方に向かって徐々に幅方向長さが短くなる先細り形状であって、
前記係止爪が前記被係止穴に挿入された状態で前記グリル庫の後方に押し込まれ、前記被係止穴に係止した状態では、前記被係止穴の幅方向の両縁部が、前記係止爪の幅方向の両端部に夫々接触していることを特徴とする請求項２又は３に記載の加熱調理器。
【請求項５】
前記グリル庫の前記底壁の左右両側には、前記平板部を前記グリル庫の前側から奥側にガイドするガイド部が夫々設けられていることを特徴とする請求項１から４の何れかに記載の加熱調理器。
【請求項６】
前記ガイド部は、
前記底壁の左右両側に夫々形成され、前記平板部の長手方向に直交する幅方向の両端部のうち少なくとも一方の端部を当接した状態で前記グリル庫の奥側に押し込むことによって、前記平板部を前記グリル庫の奥側にガイドして位置決めする段差面であることを特徴とする請求項５に記載の加熱調理器。
【請求項７】
前記固定レールは、
前記平板部の前記幅方向の一端部から上方に立設された支持部に支持され、
前記支持部に支持された前記固定レールと前記グリル庫の側壁の内面との間には隙間が形成され、
前記可動レール部には、前記可動レールの少なくとも上面と外側方を覆うカバー部材が設けられ、前記カバー部材の前記可動レールの外側方を覆う部分は、前記隙間に沿って移動することを特徴とする請求項２から５の何れかに記載の加熱調理器。
【請求項８】
請求項１から７の何れかに記載の加熱調理器の前記グリル庫内に設置されるレールユニットであって、
固定レールを有し、前記グリル庫の底壁の下部の左右両側に夫々配置される固定レール部と、前記固定レールの長手方向に沿ってスライド可能に夫々設けられ、前記受け皿を保持する可動レールを備えた可動レール部とを備える左右一対のレール構造体を連結材で互いに連結して構成され、
前記固定レール部は、
前記固定レールの長手方向に沿って設けられ、前記底壁上に設置される平板状の平板部を有し、
前記平板部は、
前記グリル庫の前記底壁の奥側の左右両側に夫々設けられた被係止部に対して、前記グリル庫内の奥側に配置される自身の一端側を係止させる係止部と、
前記グリル庫の前記底壁の前側の左右両側に夫々設けられた被固定部に対して、前記グリル庫内の前側に配置される自身の前記一端側とは反対側の他端側を着脱可能に固定する固定部とを備えたことを特徴とするレールユニット。
【発明の詳細な説明】
【技術分野】
【０００１】
本発明は、加熱調理器及びレールユニットに関する。
【背景技術】
【０００２】
従来、受け皿を引き出し自在に備えるグリル庫を内蔵するコンロが利用されている。例えば、グリルケースにグリル受け皿がスライドレール手段によってスライドされて引き出し自在に構成されたグリルが提案されている（例えば、特許文献１参照）。
【０００３】
このスライドレール手段は、ガイドレール、被ガイドレール、カバー部材、及び皿受け枠を備える。ガイドレールは、グリルケースの左右の両側面に螺子で固定される。被ガイドレールは、ガイドレールに係合し、グリル受け皿の両側に配される。カバー部材は、被ガイドレールの上面を覆うようにして取り付けられ、該取り付けられた状態で、グリルケースの左右の各側面に対向する外方側が開放されている。皿受け枠は、左右の被ガイドレールに夫々取り付けられた両カバー部材を連結材で連結して構成されている。そして、その皿受け枠にグリル受け皿が取り外し自在に積載される。被ガイドレールは、ガイドレールに対して、グリル受け皿の後部がグリルケースの開口位置にまで引き出し可能に構成されている。
【先行技術文献】
【特許文献】
【０００４】
【特許文献１】特許第４１２５９７４号公報
【発明の概要】
【発明が解決しようとする課題】
【０００５】
しかしながら、特許文献１に記載のグリルでは、一対のガイドレールがグリルケースの左右の両側面に螺子で夫々固定されている。このようなグリルを内側に組み込んだコンロでは、スライドレール手段をメンテナンスする際に、グリルケースをコンロから取り外す必要があり、非常に手間であった。
【０００６】
本発明の目的は、グリル庫に取り付けられるスライドレール手段のメンテナンスを容易化できる加熱調理器及びレールユニットを提供することである。
【課題を解決するための手段】
【０００７】
本発明の請求項１に係る発明の加熱調理器は、前側が開口するグリル庫に受け皿がスライドレール手段によってスライドされて引き出し自在に構成された加熱調理器であって、前記スライドレール手段は、固定レールを有し、前記グリル庫内の下部の左右両側に夫々配置される固定レール部と、前記固定レールの長手方向に沿ってスライド可能に設けられ、前記受け皿を保持する為の可動レールを有する可動レール部とを備える左右一対のレール構造体を連結材で連結してなるレールユニットであって、前記固定レール部は、前記グリル庫の底壁の奥側の左右両側に夫々設けられた被係止部に対して係止する係止部と、前記グリル庫の前記底壁の前側の左右両側に夫々設けられた被固定部に対して着脱可能に固定する固定部とを備えたことを特徴とする。
【０００８】
また、請求項２に係る発明の加熱調理器は、請求項１に記載の発明の構成に加え、前記固定レール部は、前記固定レールの長手方向に沿って設けられ、前記底壁上に設置される平板状の平板部を有し、前記係止部は、前記平板部の前記グリル庫の奥側に配置される一端側に設けられ、前記固定部は、前記平板部の前記グリル庫の前側に配置される他端側に設けられ、前記被係止部は、前記グリル庫の前記底壁を上下方向に貫通する被係止穴であって、前記係止部は、前記平板部の下面から下方に突出し且つ先端側が前記平板部の前記一端側に向かって屈曲する係止爪であって、前記係止爪は、前記被係止穴に対して上方から挿入され、且つ前記グリル庫の後方に押し込まれることによって前記被係止穴に係止することを特徴とする。
【０００９】
また、請求項３に係る発明の加熱調理器は、請求項２に記載の発明の構成に加え、前記底壁の下側の面である下面において、前記被係止穴よりも前記グリル庫の後方に設けられ、前記下面から離間する方向に突出する突出部を備え、前記係止爪が前記被係止穴に対して上方から挿入され、且つ前記グリル庫の後方に押し込まれながら、前記係止爪の前記先端側が前記突出部を乗り上げ、前記係止爪が前記離間する方向に弾性変形させられることによって、前記平板部を介して前記固定レールが前記底壁側に付勢されることを特徴とする。
【００１０】
また、請求項４に係る発明の加熱調理器は、請求項２又は３に記載の発明の構成に加え、前記被係止穴は、前記グリル庫の後方に向かって徐々に幅方向長さが短くなる先細り形状であって、前記係止爪が前記被係止穴に挿入された状態で前記グリル庫の後方に押し込まれ、前記被係止穴に係止した状態では、前記被係止穴の幅方向の両縁部が、前記係止爪の幅方向の両端部に夫々接触していることを特徴とする。
【００１１】
また、請求項５に係る発明の加熱調理器は、請求項１から４の何れかに記載の発明の構成に加え、前記グリル庫の前記底壁の左右両側には、前記平板部を前記グリル庫の前側から奥側にガイドするガイド部が夫々設けられていることを特徴とする。
【００１２】
また、請求項６に係る発明の加熱調理器は、請求項５に記載の発明の構成に加え、前記ガイド部は、前記底壁の左右両側に夫々形成され、前記平板部の長手方向に直交する幅方向の両端部のうち少なくとも一方の端部を当接した状態で前記グリル庫の奥側に押し込むことによって、前記平板部を前記グリル庫の奥側にガイドして位置決めする段差面であることを特徴とする。
【００１３】
また、請求項７に係る発明の加熱調理器は、請求項２から５の何れかに記載の発明の構成に加え、前記固定レールは、前記平板部の前記幅方向の一端部から上方に立設された支持部に支持され、前記支持部に支持された前記固定レールと前記グリル庫の側壁の内面との間には隙間が形成され、前記可動レール部には、前記可動レールの少なくとも上面と外側方を覆うカバー部材が設けられ、前記カバー部材の前記可動レールの外側方を覆う部分は、前記隙間に沿って移動することを特徴とする。
【００１４】
本発明の請求項８に係る発明のレールユニットは、請求項１から７の何れかに記載の加熱調理器の前記グリル庫内に設置されるレールユニットであって、固定レールを有し、前記グリル庫の底壁の下部の左右両側に夫々配置される固定レール部と、前記固定レールの長手方向に沿ってスライド可能に夫々設けられ、前記受け皿を保持する可動レールを備えた可動レール部とを備える左右一対のレール構造体を連結材で互いに連結して構成され、前記固定レール部は、前記固定レールの長手方向に沿って設けられ、前記底壁上に設置される平板状の平板部を有し、前記平板部は、前記グリル庫の前記底壁の奥側の左右両側に夫々設けられた被係止部に対して、前記グリル庫内の奥側に配置される自身の一端側を係止させる係止部と、前記グリル庫の前記底壁の前側の左右両側に夫々設けられた被固定部に対して、前記グリル庫内の前側に配置される自身の前記一端側とは反対側の他端側を着脱可能に固定する固定部とを備えたことを特徴とする。
【発明の効果】
【００１５】
請求項１に係る発明の加熱調理器では、作業者は、固定部を被固定部から外し、被係止部から係止部を抜くだけで、レールユニットを着脱自在にできるので、グリル庫のメンテナンスの容易化を図ることができる。
【００１６】
また、請求項２に係る発明の加熱調理器では、請求項１に記載の発明の効果に加え、レールユニットをグリル庫の前方から差し込むことによって、係止爪は被係止穴に対して上方から挿入されて落着する。さらにレールユニットを前方に押し込むことによって、係止爪は被係止穴に対して容易に係止することができる。
【００１７】
また、請求項３に係る発明の加熱調理器では、請求項２に記載の発明の効果に加え、平板部を介して固定レールが底壁側に付勢されるので、固定レールをグリル庫の底壁上に強固に支持できる。
【００１８】
また、請求項４に係る発明の加熱調理器では、請求項２又は３に記載の発明の効果に加え、係止爪は被係止穴の内側において奥側に徐々に押し込まれることによって、係止爪の左右方向の位置が徐々に決まる。係止爪が被係止穴に最終的に係止した状態では係止爪の左右方向の位置決めが完了する。これにより、平板部を介して固定レールの左右方向の位置決めを容易且つ正確にできる。
【００１９】
また、請求項５に係る発明の加熱調理器では、請求項１から４の何れかに記載の発明の効果に加え、左右のガイド部に沿って、レールユニットの一対の平板部を押し込むことによって、レールユニットをグリル庫の奥側に簡単且つ正しく設置できる。
【００２０】
また、請求項６に係る発明の加熱調理器では、請求項５に記載の発明の効果に加え、平板部の少なくとも一方の端部を、段差面に当接させた状態でグリル庫の奥側に押し込むことによって、平板部をグリル庫の奥側にガイドして位置決めすることができる。
【００２１】
また、請求項７に係る発明の加熱調理器では、請求項２から５の何れかに記載の発明の効果に加え、可動レールの上面と外側方を覆うことができるので、可動レールに油や食材等の異物が付着するのを防止できる。これにより、レール構造体の伸縮動作を良好に保つことができる。可動レールの外側方まで覆うことができるので、可動レールをグリル庫内から引き出したときの美観を向上できる。
【００２２】
請求項８に係る発明のレールユニットでは、請求項１から７の何れかに記載の加熱調理器のグリル庫に設置することによって、請求項１から７の何れかに記載の効果を得ることができる。
【図面の簡単な説明】
【００２３】
【図１】コンロ１の斜視図である。
【図２】グリル庫１０の分解斜視図である。
【図３】下ケース１１の断面図である。
【図４】下ケース１１からレールユニット４０を取り外した斜視図である。
【図５】下ケース１１の平面図である。
【図６】レールユニット４０の斜視図である。
【図７】レールユニット４０の分解斜視図である。
【図８】平板部５１Ａにおける係止爪７３周囲の平面図である。
【図９】図８に示すＩ−Ｉ線矢視方向断面図である。
【図１０】凹部２４に設けた被係止穴３２に係止爪７３が係止した状態を示す平面図である。
【図１１】図１０に示すＩＩ−ＩＩ線矢視方向断面図である。
【図１２】図３に示すＷ１領域の部分拡大図である。
【発明を実施するための形態】
【００２４】
以下、本発明の一実施形態について、図面に基づいて説明する。図１，図２において、左斜め下方、右斜め上方、右斜め下方、左斜め上方を、夫々、コンロ１又はグリル庫１０の前方、後方、右方、左方とする。なお、図１に示すコンロ１は、図示しないキッチンのカウンタートップに設けられた開口に落とし込まれて設置されるビルトインコンロである。
【００２５】
図１を参照し、コンロ１の全体構造について説明する。コンロ１は略直方体状の器具本体２を備える。器具本体２の内側の幅方向中央には、グリル庫１０（図２，図３参照）が取り付けられている。器具本体２の上部には、平面視長方形状のトッププレート３が取り付けられている。トッププレート３の右手前には右バーナ４、左手前には左バーナ５、中央奥側には奥バーナ６が夫々設けられている。奥バーナ６の後方には、グリル庫１０と連通する排気口７が設けられている。
【００２６】
そして、器具本体２の前面の幅方向中央には、正面視長方形状のグリル扉８が設けられている。グリル扉８は、グリル庫１０内に設けられた後述するレールユニット４０（図２，図４参照）によって前後方向にスライド可能に設けられ、グリル庫１０の前面のグリル開口（図示略）を開閉する。グリル扉８の背面側の下部は、図２に示すレールユニット４０の前部に設けられた後述する前側連結材４３（図２参照）に着脱自在に取り付けられている。レールユニット４０の後述する枠部４８には、受皿１３（図３参照）及び焼き網支持枠（図示略）が夫々取り付けられる。焼き網支持枠は、焼き網（図示略）を受皿１３の上方に支持する枠体である。
【００２７】
図１に示すように、グリル扉８の前面上部には取手９が前方に下り傾斜して設けられている。使用者は、取手９に下側から指を掛けてグリル扉８を手前側に引き出すと、レールユニット４０の伸長動作によって、焼き網と受皿１３をグリル庫１０から外部に同時に取り出すことができる。
【００２８】
図２を参照し、グリル庫１０の構造について説明する。グリル庫１０は、下ケース１１と上ケース１２を備える。下ケース１１は上面と前面が夫々開放された略直方体状の筐体である。上ケース１２は下面と前面が夫々開放された略直方体状の筐体である。下ケース１１の上部に、上ケース１２を被せて螺子（図示略）で固定することによって、略直方体状のグリル庫１０が構成され、前面にグリル開口（図示略）が形成される。なお、詳述しないが、上ケース１２の天壁下面の略中央には、上火バーナ（図示略）が設けられている。
【００２９】
図２〜図５を参照し、下ケース１１の構造について説明する。図２に示すように、下ケース１１は、底壁１５、左側壁１６、右側壁１７、背壁１８を備える。底壁１５は平面視略長方形状で、その上面には、レールユニット４０が着脱可能に取り付けられている。なお、底壁１５に設けられる具体的形状については後述する。
【００３０】
左側壁１６は、底壁１５の左端部に略垂直に立設されている。図３に示すように、左側壁１６の内面中段位置には、下火バーナ２１が前後方向に延設され、その上方には、バーナカバー２１Ａが取り付けられている。右側壁１７は、底壁１５の右端部に略垂直に立設されている。右側壁１７の内面中段位置には、下火バーナ２２が前後方向に延設され、その上方には、バーナカバー２２Ａが取り付けられている。
【００３１】
背壁１８は、底壁１５の後端部において略垂直に立設されている。背壁１８の内面上部の左右方向中央には、背壁１８の上端部から前方に下り傾斜する傾斜部１９が設けられている。傾斜部１９は、グリル庫１０とトッププレート３の後方に設けられた排気口７とを連通する排気通路（図示略）の一部を形成する部位である。
【００３２】
図４，図５を参照し、底壁１５に設けられる形状について説明する。図４に示すように、底壁１５の上面左側には、上面中央よりも一段低くなった凹部２４が設けられ、上面右側には、凹部２４と同様の凹部２５が設けられている。これら凹部２４，２５は、下ケース１１の前後方向に長い平面視長方形状に夫々形成されている。なお、凹部２４は、レールユニット４０の後述する左側の取付部材５１の平板部５１Ａ（図２，図６参照）が内側に設置可能な程度の面積を有する。凹部２５は、レールユニット４０の後述する右側の取付部材６１の平板部６１Ａ（図６参照）が内側に設置可能な程度の面積を有する。
【００３３】
さらに、凹部２４の深さは、平板部５１Ａの板金の厚さと略同一である。凹部２５の深さは、平板部６１Ａの板金の厚さと略同一である。凹部２４の右端部には段差面２４Ａが形成され、凹部２５の左端部には段差面２５Ａが形成されている。後述するが、これら段差面２４Ａ，２５Ａは、レールユニット４０の取付時に、レールユニット４０の平板部５１Ａ，６１Ａを下ケース１１の奥側にガイドする機能を有する。
【００３４】
図４，図５に示すように、凹部２４の前後方向の略中間位置には、被係止穴３２が設けられている。被係止穴３２は平面視略台形状（図５，図１１参照）に形成され、下ケース１１の後方に向かうに従って幅方向（左右方向）の長さが徐々に先細りになっている。被係止穴３２には、レールユニット４０の後述する係止爪７３（図７，図９参照）が係止する。さらに、底壁１５の下面において、被係止穴３２の後方の直近位置には、下方に打ち出されて突出する突出部３５が設けられている。突出部３５は底面視左右方向に延びる直線状に形成されている。突出部３５には、被係止穴３２に係止する係止爪７３の先端側が乗り上げるようになっている。
【００３５】
そして、凹部２４の前後方向の後端部近傍には、被係止穴３３が設けられ、その後方の直近位置には突出部３６が設けられている。これら被係止穴３３と突出部３６は、上述の被係止穴３２と突出部３５と同じ形状である。被係止穴３３には、レールユニット４０の後述する係止爪７５（図７，図９参照）が係止する。突出部３６には、被係止穴３３に係止する係止爪７５の先端側が乗り上げるようになっている。そして、凹部２４の手前側には、固定穴３１が設けられている。
【００３６】
なお、凹部２５にも、凹部２４と同様に、凹部２５の前後方向の略中間位置には、被係止穴３２と突出部３５が夫々設けられ、後端部近傍には、被係止穴３３と突出部３６が夫々設けられ、凹部２５の手前側には、固定穴３１が設けられている。凹部２５と凹部２４は互いに左右対称形状であるので、共通する形状については同符号を付して説明する。
【００３７】
図４，図６を参照し、レールユニット４０の構造について説明する。図４に示すように、レールユニット４０は、左側レール構造体４１、右側レール構造体４２、前側連結材４３、後ろ側連結材４４を備える。左側レール構造体４１及び右側レール構造体４２は、何れも一方向に伸縮するレール構造体である。左側レール構造体４１は左側、右側レール構造体４２は右側に、互いに離間して対向配置される。なお、各構造体の詳細な構造については後述する。
【００３８】
図６に示すように、前側連結材４３は、左右方向に長い断面Ｌ字状の板金である。前側連結材４３は、右側レール構造体４２の上面前部と、左側レール構造体４１の上面前部との間に水平に渡され、その長手方向の両端部が螺子９５で夫々固定される。前側連結材４３の垂直に立つ部位には、取手９の背面が着脱可能に取り付けられる。後ろ側連結材４４は、左右方向に長い板金であって、右側レール構造体４２の上面後部と、左側レール構造体４１の上面後部との間に水平に渡され、その長手方向の両端部が螺子９５で夫々固定される。よって、左側レール構造体４１及び右側レール構造体４２が、前側連結材４３及び後ろ側連結材４４によって互いに連結されることにより、レールユニット４０が一体的に構成される。
【００３９】
図７を参照し、左側レール構造体４１の構造について説明する。左側レール構造体４１は、取付部材５１、伸縮部材５２、カバー部材５３を備える。なお、図７において、左斜め下方、右斜め上方、右斜め下方、左斜め上方を、夫々、左側レール構造体４１（右側レール構造体４２）の前方、後方、右方、左方とする。
【００４０】
先ず、取付部材５１の形状について説明する。図７に示すように、取付部材５１は、前後方向に延びる断面略Ｌ字状の板金である。取付部材５１は、平板部５１Ａと支持部６１Ｂを備える。平板部５１Ａは、平面視長方形状であり、下ケース１１の凹部２４に配置して取り付けられる部位である。支持部６１Ｂは、平板部５１Ａの左端部に沿って垂直に立設された左側面視長方形状であって、伸縮部材５２を支持する部位である。
【００４１】
平板部５１Ａの長手方向の略中間位置には、平面視長方形状の開口７２が設けられている。開口７２の手前側の内縁部には、側面視略Ｌ字状の係止爪７３が設けられている。図９に示すように、係止爪７３は、開口７２の手前側の内縁部から下方に突出する基部７３Ａと、該基部７３Ａの下端部から後方に略直角に屈曲し且つ後方に延びる本体部７３Ｂとを備える。本体部７３Ｂの先端部７３Ｃは、後方に対して斜め下方に折曲している。係止爪７３は、下ケース１１の凹部２４に設けられた被係止穴３２（図５参照）に係止する。
【００４２】
そして、平板部５１Ａの長手方向の後端部近傍にも、開口７４と係止爪７５が設けられている。これら開口７４と係止爪７５は、上述の開口７２と係止爪７３と同じ形状である。さらに、平板部５１Ａの手前側の位置には、固定穴７１が設けられている。また、支持部６１Ｂには、３つの固定穴７６が横一列に互いに所定間隔を空けて夫々設けられている。
【００４３】
次に、伸縮部材５２の構造について説明する。図７，図１２に示すように、伸縮部材５２は、レールユニット４０の外方から内方に向かって順に、固定レール５２Ａ、第１可動レール５２Ｂ、第２可動レール５２Ｃ、第３可動レール５２Ｄを備える。固定レール５２Ａは、断面Ｕ字状の内側をレールユニット４０の内方に向けた状態で、取付部材５１の支持部５１Ｂの右側面に固定される。固定レール５２Ａには、３つの固定穴８１が横一列に互いに所定間隔を空けて夫々設けられている。第１可動レール５２Ｂは、固定レール５２Ａよりも小さい断面Ｕ字状の内側を固定レール５２Ａの内側に向けた状態で、固定レール５２Ａの長手方向に沿ってスライド可能に保持されている。
【００４４】
さらに、第２可動レール５２Ｃは、第１可動レール５２Ｂと同サイズ同形状の断面Ｕ字状の内側をレールユニット４０の内方に向け、第１可動レール５２Ｂと背中合わせの状態で、第１可動レール５２Ｂの長手方向に沿ってスライド可能に保持されている。第３可動レール５２Ｄは、固定レール５２Ａと同サイズ同形状の断面Ｕ字状の内側を第２可動レール５２Ｃの内側に向け、固定レール５２Ａと互いに内側を合わせた状態で、第２可動レール５２Ｃの長手方向に沿ってスライド可能に保持されている。
【００４５】
そして、図７に示すように、第３可動レール５２Ｄの長手方向の前端側と後端側には、固定穴８２が夫々設けられている。このような構造により、固定レール５２Ａの位置を基準として、第１可動レール５２Ｂ、第２可動レール５２Ｃ、及び第３可動レール５２Ｄが夫々前後方向にスライド移動する。よって、伸縮部材５２は、自身の長手方向に沿って伸縮できる。なお、図６に示すように、伸縮部材５２の後端部には、該後端部を覆う箱状の保護部４５が固定される。
【００４６】
次に、カバー部材５３の構造について説明する。図７に示すように、カバー部材５３は、底面と背面が開口し且つ前後方向に長い略直方体の金属製の箱状に形成されている。カバー部材５３は、板金である右側壁５３Ａ、上壁５３Ｂ、左側壁５３Ｃ、前壁５３Ｄを備える。カバー部材５３は、伸縮部材５２を内側に収容可能な内部空間を有する。右側壁５３Ａの前後方向の両端部近傍には、固定穴９１が夫々設けられている。上壁５３Ｂの前後方向の両端部近傍には、固定穴９２が夫々設けられている。
【００４７】
図７を参照し、左側レール構造体４１の組立方法について説明する。先ず、作業者は、取付部材５１の支持部５１Ｂの右側面に、伸縮部材５２の固定レール５２Ａの左側面を当接させ、支持部５１Ｂに設けられた３つの固定穴７６に対し、固定レール５２Ａに設けられた３つの固定穴８１を位置決めし、螺子９７で夫々締結する。これにより、取付部材５１の支持部６１Ｂに、伸縮部材５２の固定レール５２Ａが固定され、伸縮部材５２が取付部材５１によって支持される。
【００４８】
次いで、取付部材５１に支持された伸縮部材５２に対し、上方からカバー部材５３を被せ、右側壁５３Ａの左側面を、伸縮部材５２の第３可動レール５２Ｄの右側面に当接させ、第３可動レール５２Ｄに設けられた２つの固定穴８２に対し、右側壁５３Ａに設けられた２つの固定穴９１を位置決めし、螺子９７で夫々締結する。これにより、伸縮部材５２の第３可動レール５２Ｄに、カバー部材５３の右側壁５３Ａが固定され、左側レール構造体４１の組立が完了する。
【００４９】
図７を参照し、右側レール構造体４２の構造について説明する。右側レール構造体４２の構造は、左側レール構造体４１の構造と左右対称である以外は全て同じである。よって、上記の平板部５１Ａと共通する形状については同符号を付して説明を省略する。右側レール構造体４２は、取付部材６１、伸縮部材６２、カバー部材６３、保護部４６（図６参照）を備える。取付部材６１は、平板部６１Ａと支持部６１Ｂを備える。平板部６１Ａの長手方向の略中間位置には、開口７２及び係止爪７３が設けられ、後端部近傍には、開口７４及び係止爪７５が設けられている。平板部６１Ａの前側の位置には、固定穴７１が設けられている。なお、右側レール構造体４２の組立方法についても、左側レール構造体４１と同じであるので説明を省略する。
【００５０】
図６，図７を参照し、レールユニット４０の組立方法の一例について説明する。図７に示すように、先ず、左側レール構造体４１を左側に、右側レール構造体４２を右側に、互いに対向配置させる。なお、左側レール構造体４１と右側レール構造体４２は何れも縮めた状態にしておく。次いで、前側連結材４３の左端部に設けられた固定穴４３Ａを、左側レール構造体４１のカバー部材５３の上壁５３Ｂの前側に設けられた固定穴９２に位置決めし、螺子９５（図６参照）を締結して固定する。さらに、前側連結材４３の右端部に設けられた固定穴４３Ａを、右側レール構造体４２のカバー部材６３の上壁の前側に設けられた固定穴９２に位置決めし、螺子９５（図６参照）を締結して固定する。
【００５１】
他方、後ろ側連結材４４の左端部に設けられた固定穴４４Ａを、左側レール構造体４１のカバー部材５３の上壁５３Ｂの後ろ側に設けられた固定穴９２に位置決めし、螺子９５（図６参照）を締結して固定する。さらに、後ろ側連結材４４の右端部に設けられた固定穴４４Ａを、右側レール構造体４２のカバー部材６３の上壁の後ろ側に設けられた固定穴９２に位置決めし、螺子９５（図６参照）を締結して固定する。これにより、図６に示すように、左側レール構造体４１及び右側レール構造体４２は、前側連結材４３及び後ろ側連結材４４によって互いに連結され、レールユニット４０が完成する。
【００５２】
また、レールユニット４０は、左側のカバー部材５３、右側のカバー部材６３、前側連結材４３及び後ろ側連結材４４によって形成された平面視長方形状の枠部４８を備える。枠部４８は、左側レール構造体４１及び右側レール構造体４２の伸縮動作によって、レールユニット４０の前後方向に移動可能である。枠部４８には、受皿１３（図３参照）及び焼き網支持枠（図示略）が着脱可能に取り付けられる。従って、受皿１３及び焼き網支持枠は、レールユニット４０の前後方向に移動可能に保持される。
【００５３】
次に、レールユニット４０のグリル庫１０への取り付け方法について説明する。なお、説明の便宜上、図４に示すように、上ケース１２を省略し、下ケース１１にレールユニット４０を取り付ける方法について説明する。先ず、図４に示すように、下ケース１１の開口する前面の前側に、レールユニット４０を配置する。なお、レールユニット４０は、前側連結材４３を前方に、後ろ側連結材４４を後方に向けた状態で配置する。次いで、レールユニット４０を下ケース１１の内側に挿入する。このとき、左側レール構造体４１の平板部５１Ａを、手前から下ケース１１の底壁１５に設けられた凹部２４に沿って奥側に移動させ、右側レール構造体４２の平板部６１Ａを、手前から下ケース１１の底壁１５に設けられた凹部２５に沿って奥側に移動させる。
【００５４】
そして、図４に示すように、左側レール構造体４１においては、平板部５１Ａの下面から下方に突出する２つの係止爪７３，７５が、下ケース１１の凹部２４に設けられた被係止穴３２，３３に到達した時に、係止爪７３，７５の各先端部は被係止穴３２，３３に夫々挿入される。このとき、図９に示すように、係止爪７３の先端部７３Ｃは、後方に向かって下方に傾斜して折曲しているので、図１０に示すように、被係止穴３２に容易に挿入される。なお、係止爪７５も同様に被係止穴３３に容易に挿入される。
【００５５】
さらに、レールユニット４０が下ケース１１の奥側に押し込まれると、係止爪７３，７５全体が、被係止穴３２，３３の内側に落ちて完全に挿入される。これにより、平板部５１Ａは、凹部２４上面を摺動し、平板部５１Ａの右端部が段差面２４Ａに沿うことによって、奥側に正確にガイドされる。また、平板部６１Ａも、凹部２５上面を摺動し、平板部６１Ａの左端部が段差面２５Ａに沿うことによって、奥側に正確にガイドされる。そして、係止爪７３，７５は、被係止穴３２，３３の内側を後方に移動するが、上記の通り、被係止穴３２，３３は後方に向かうに従って先細り形状になっているので、係止爪７３，７５の左右方向の位置は徐々に制約される。
【００５６】
ここで、被係止穴３２における係止爪７３の位置移動を一例として説明する。図５に示す被係止穴３２の後方側に位置する辺３２Ａの長さは、図８に示す係止爪７３の基部７３Ａの幅（左右方向の長さ）と同じである。従って、レールユニット４０が下ケース１１の奥側にさらに押し込まれると、図１０，図１１に示すように、係止爪７３の基部７３Ａが、被係止穴３２の後方側の辺３２Ａに接触し、被係止穴３２の奥側に嵌る。これにより、係止爪７３の左右方向の位置が決まり、係止爪７３は被係止穴３２に係止する。なお、係止爪７５も被係止穴３３に対して同様に係止する。こうして、下ケース１１の凹部２４におけるレールユニット４０の平板部５１Ａの左右方向の位置が自動的に決まるので、平板部５１Ａを介して固定レール５２Ａの左右方向の位置決めを容易且つ正確にできる
【００５７】
また、係止爪７３の先端部７３Ｃは、被係止穴３２の辺３２Ａを通過後、突出部３５に乗り上げる。このとき、図１１に示すように、係止爪７３の本体部７３Ｂは、底壁１５の下面から離間する方向に弾性変形させられる。これにより、レールユニット４０の平板部５１Ａは、底壁１５の凹部２４に付勢される。そして、平板部５１Ａを介して固定レール５２Ａが凹部２４に付勢されるので、固定レール５２Ａを凹部２４上に強固に支持できる。さらに、係止爪７５の先端側も同様に、突出部３６に乗り上げるので、係止爪７３と同じ効果を得ることができる。よって、レールユニット４０の平板部５１Ａ全体が、底壁１５の凹部２４に対してバランス良く付勢されるので、左側レール構造体４１全体を底壁１５に安定して支持できる。
【００５８】
なお、右側レール構造体４２においても、左側レール構造体４１と同様のことが行われる。図７に示すように、平板部６１Ａの下面から下方に突出する２つの係止爪７３，７５が、図５に示す下ケース１１の凹部２５に設けられた被係止穴３２，３３に夫々係止する。そして、係止爪７３，７５の各先端側が突出部３５，３６を乗り上げ、上記と同様に、各本体部が弾性変形されることによって、レールユニット４０の平板部６１Ａ全体が、底壁１５の凹部２５にバランス良く付勢されるので、右側レール構造体４２全体を底壁１５に安定して支持できる。
【００５９】
次いで、レールユニット４０が、下ケース１１の底壁１５上面に位置決めされた状態で、左側レール構造体４１において、凹部２４の手前側に設けられた固定穴３１（図４，図５参照）に対して、平板部５１Ａの手前側に設けられた固定穴７１（図７参照）の位置を合わせ、螺子９９（図２参照）を締結して固定する。さらに、右側レール構造体４２においても同様に、凹部２５の手前側に設けられた固定穴３１（図４，図５参照）に対して、平板部６１Ａの手前側に設けられた固定穴７１（図７参照）の位置を合わせ、螺子を締結して固定する。こうして、下ケース１１の底壁１５の凹部２４，２５に対して、レールユニット４０の左側レール構造体４１及び右側レール構造体４２の各位置が固定され、レールユニット４０の取り付けが完了する。
【００６０】
また、上記の通り、平板部５１Ａの厚さと凹部２４の深さが略同一であって、平板部６１Ａの厚さと凹部２５の深さが略同一であるので、レールユニット４０が、下ケース１１の底壁１５上面に取り付けられた状態では、図２に示すように、底壁１５の上面中央、平板部５１Ａ、及び平板部６１Ａは略同一平面となる。これにより、グリル庫１０の底壁１５の上面の段差が無くなるので、拭き掃除等がやり易くなる。
【００６１】
なお、レールユニット４０を下ケース１１から取り外す場合は、上記取り付け方法を逆の手順で行えばよい。つまり、図２に示すように、平板部５１Ａを凹部２４に固定する螺子９９と、平板部６１Ａを凹部２５に固定する螺子（図示略）とを夫々外してから、レールユニと４０を手前側に引き出す。これにより、図４に示すように、左側レール構造体４１及び右側レール構造体４２の各係止爪７３，７５が、凹部２４，２５に夫々設けられた各被係止穴３３，３５から外れるので、レールユニット４０を下ケース１１から容易に取り外すことができる。
【００６２】
図１２を参照し、カバー部材５３，６３による左側レール構造体４１及び右側レール構造体４２の保護構造について説明する。なお、本実施形態では、左側レール構造体４１及び右側レール構造体４２は互いに左右対称の構造であるので、ここでは、左側レール構造体４１のカバー部材５３について説明する。
【００６３】
上記の通り、左側レール構造体４１について、下ケースの底壁１５の凹部２４に、Ｌ字状の取付部材５１の平板部５１Ａを螺子９９で固定し、垂直に立つ支持部５１Ｂの右側面に対して、伸縮部材５２を固定することによって、伸縮部材５２の固定レール５２Ａと下ケース１１の左側壁１６の内面との間に、所定の隙間１００を形成している。本実施形態では、この隙間１００を形成したことによって、伸縮部材５２の第３可動レール５２Ｄに固定するカバー部材５３の形状を断面Ｕ字状に形成している。
【００６４】
つまり、従来のように、スライドレール手段をグリル庫の側壁で固定するものでは、側壁の内面とスライドレール手段との間に螺子や何らかの固定構造が配置されてしまうため、この間にスライドレール手段を外方から覆うカバー部材を配置することができない。これに対し、本実施形態では、伸縮部材５２を左側壁１６ではなく、取付部材５１を介して底壁１５に固定することによって、左側壁１６と伸縮部材５２の固定レール５２Ａとの間に隙間１００を形成し、その隙間１００に対して、カバー部材５３の上壁５３Ｂの左端部から左側壁５３Ｃを下ろして配置できるので、実際の可動部である伸縮部材５２の右側、上側に加え、外方である左側までも完全に覆うことができる。これにより、グリル庫１０内でグリル加熱中に、焼き網から落下する被調理物の油や調理カス等が、伸縮部材５２の可動部分に付着して堆積することを防止できる。よって、本実施形態は、伸縮部材５２の伸縮動作を良好に保つことができる。なお、右側レール構造体４２においても同様の効果を得ることができる。
【００６５】
また、グリル扉８を用いて、受皿１３を外部に引き出した場合、カバー部材５３の左側壁５３Ｃは、隙間１００に沿って移動できる。そして、グリル庫１０から外部に引き出されたレールユニット４０の枠部４８では、伸縮部材５２，６２の第３可動レール部材５２Ｄ，６２Ｄは、カバー部材５３，６３によって右側、上側、左側を完全に覆うことができる。これにより、伸縮部材５２，６２の伸縮構造がカバー部材５３，６３によって隠れるので、外観上の美観を向上できる。
【００６６】
以上説明したように、本実施形態のコンロ１では、グリル庫１０に受皿１３がレールユニット４０によって引き出し自在に構成されている。レールユニット４０は、左側レール構造体４１、右側レール構造体４２、前側連結材４３、後ろ側連結材４４を備える。左側レール構造体４１及び右側レール構造体４２は、前側連結材４３及び後ろ側連結材４４によって互いに連結されている。左側レール構造体４１は、取付部材５１、伸縮部材５２、カバー部材５３を備える。取付部材５１は、平板部５１Ａと支持部５１Ｂを備える。平板部５１Ａはグリル庫１０の底壁１５の上面に配置される。平板部５１Ａには、係止爪７３，７５と固定穴７１が夫々設けられている。支持部５１Ｂは平板部５１Ａに対して垂直に立設した部分である。伸縮部材５２は、固定レール５２Ａと、第１〜第３可動レール５２Ｂ〜５２Ｄとを備える。伸縮部材５２は、取付部材５１の支持部５１Ｂに固定される。カバー部材５３は、伸縮部材５２のうち最前部に位置する第３可動レール５２Ｄに固定される。
【００６７】
作業者は、平板部５１Ａに設けられた係止爪７３，７５を、グリル庫１０の底壁１５の中央と奥側に夫々設けられた被係止穴３２，３３に係止させる。その後、固定穴７１を、グリル庫１０の底壁の前側に設けられた固定穴３１に位置決めして螺子９９で固定する。右側レール構造体４２においても、左側レール構造体４１と同様である。これにより、作業者は、螺子９９を締結し又は取り外すことによって、グリル庫１０に対してレールユニット４０を着脱自在にできるので、グリル庫１０のメンテナンスの容易化を図ることができる。
【００６８】
上記説明において、固定レール５２Ａが本発明の「固定レール」に相当する。固定レール５２Ａ及び取付部材５１が本発明の「固定レール部」に相当する。第１〜第３可動レール５２Ｂ〜５２Ｄが本発明の「可動レール部」に相当する。被係止穴３２，３３が本発明の「被係止部」に相当する。係止爪７３，７５が本発明の「係止部」に相当する。固定穴３１が本発明の「被固定部」に相当する。固定穴７１及び螺子９９が本発明の「固定部」に相当する。平板部５１Ａが本発明の「平板部」に相当する。突出部３５，３６が本発明の「突出部」に相当する。段差面２４Ａ，２５Ａが本発明の「ガイド部」に相当する。隙間１００が本発明の「隙間」に相当する。
【００６９】
なお、本発明は上記実施形態に限定されるものではなく、種々の変更が可能である。例えば、上記実施形態では、３本の第１〜第３可動レール５２Ｂ〜５２Ｄを備えるが、可動レールの本数は１本、２本、又は３本以上であってもよい。
【００７０】
また、上記実施形態では、平板部５１Ａに係止爪７３，７５を設け、凹部２４に被係止穴３２，３３を設け、夫々を係止させたが、これらの関係は逆でもよく、凹部２４に手前方向に延びる係止爪を設け、平板部５１Ａに被係止穴を設けてもよい。また、係止構造についても、被係止穴に係止爪を係止する構造に限定されない。例えば、被係止穴のような穴でなく、凹凸形状にて係止爪を係止させてもよい。
【００７１】
また、上記実施形態では、レールユニット４０の取付時において、平板部５１Ａの右端部を段差面２４Ａに沿わせ、平板部５１Ａの左端部を段差面２５Ａに沿わせることによって、レールユニット４０をグリル庫１０の奥側にガイドしているが、凹部２４の左端部にある段差面、及び凹部２５の右端部にある段差面を本発明の「ガイド部」として夫々機能させてもよい。
【００７２】
また、上記実施形態では、グリル庫１０を備えたコンロ１を本発明の一例として説明したが、例えば、グリル庫を備えたテーブルコンロでもよく、さらにはグリル庫のみを備えたグリル調理器にも適用可能である。
【００７３】
また、上記実施形態で説明したレールユニット４０の組立方法は一例であって、上記方法に限られず、組立順序が上記方法と異なっていてもよい。
【符号の説明】
【００７４】
１    コンロ
１０    グリル庫
１３    受皿
１５    底壁
１６    左側壁
１７    右側壁
２４，２５  凹部
２４Ａ，２５Ａ  段差面
３１    固定穴
３２    被係止穴
３２Ａ  辺
３３    被係止穴
３５，３６  突出部
４０    レールユニット
４１    左側レール構造体
４２    右側レール構造体
４３    前側連結材
４４    後ろ側連結材
５１    取付部材
５１Ａ  平板部
５１Ｂ  支持部
５２Ａ  固定レール
５２Ｂ  第１可動レール
５２Ｃ  第２可動レール
５２Ｄ  第３可動レール
５３    カバー部材
５３Ｃ  左側壁
６１    取付部材
６１Ａ  平板部
６１Ｂ  支持部
６３    カバー部材
７１    固定穴
７３    係止爪
７５    係止爪
９９    螺子
１００    隙間
【図１】
2015027403.tif 000003
【図２】
2015027403.tif 000004
【図３】
2015027403.tif 000005
【図４】
2015027403.tif 000006
【図５】
2015027403.tif 000007
【図６】
2015027403.tif 000008
【図７】
2015027403.tif 000009
【図８】
2015027403.tif 000010
【図９】
2015027403.tif 000011
【図１０】
2015027403.tif 000012
【図１１】
2015027403.tif 000013
【図１２】
2015027403.tif 000014